(57)【要約】【課題】解像度が高いのは勿論のこと、比較的高いズーミング比を維持しながら、特に沈胴時の薄型化が可能なズームレンズ系、撮像装置及びカメラを提供する。【解決手段】物体側から像側へと順に、負のパワーを有する第１レンズ群と、正のパワーを有する第２レンズ群と、正のパワーを有する第３レンズ群と、第２レンズ群の物体側に配置した開口絞りとを備え、撮像時の広角端から望遠端へのズーミングの際に、第１レンズ群、第２レンズ群及び第３レンズ群を光軸に沿って移動させて変倍を行い、該ズーミングの際に、開口絞りが第２レンズ群と一体的に光軸に沿って移動し、条件：ＴG1／｛ｆT×ｔａｎ（ωT）｝＜０．９６及びｆT／ｆW＞４．５を満足するズームレンズ系、撮像装置及びカメラ。ここで、ＴG1は第１レンズ群の光軸上での厚み、ωTは望遠端における半画角、ｆTは望遠端における全系の焦点距離、ｆWは広角端における全系の焦点距離である。【選択図】図１
2012155030.tif 000002
【特許請求の範囲】
【請求項１】
物体側から像側へと順に、
負のパワーを有する第１レンズ群と、
正のパワーを有する第２レンズ群と、
正のパワーを有する第３レンズ群と、
前記第２レンズ群の物体側に配置した開口絞りとを備え、
撮像時の広角端から望遠端へのズーミングの際に、前記第１レンズ群、前記第２レンズ群及び前記第３レンズ群を光軸に沿って移動させて変倍を行い、
前記ズーミングの際に、前記開口絞りが、前記第２レンズ群と一体的に光軸に沿って移動し、
以下の条件（１）及び（ａ）を満足することを特徴とする、ズームレンズ系：
ＴG1／｛ｆT×ｔａｎ（ωT）｝＜０．９６  ・・・（１）
ｆT／ｆW＞４．５  ・・・（ａ）
ここで、
ＴG1：第１レンズ群の光軸上での厚み、
ωT：望遠端における半画角（°）、
ｆT：望遠端における全系の焦点距離、
ｆW：広角端における全系の焦点距離
である。
【請求項２】
第１レンズ群が、物体側から像側へと順に、負のパワーを有する第１レンズ素子と、正のパワーを有する第２レンズ素子とで構成され、該第２レンズ素子が、物体側に凸面を向けたメニスカス形状を有する、請求項１に記載のズームレンズ系。
【請求項３】
第１レンズ素子が、以下の条件（２）を満足し、第２レンズ素子が、以下の条件（３）を満足する、請求項２に記載のズームレンズ系：
ｎｄ1＞１．８６  ・・・（２）
ｎｄ2＞２．００  ・・・（３）
ここで、
ｎｄ1：第１レンズ素子の波長５８７．５６ｎｍに対する屈折率、
ｎｄ2：第２レンズ素子の波長５８７．５６ｎｍに対する屈折率
である。
【請求項４】
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、
物体側から像側へと順に、
負のパワーを有する第１レンズ群と、
正のパワーを有する第２レンズ群と、
正のパワーを有する第３レンズ群と、
前記第２レンズ群の物体側に配置した開口絞りとを備え、
撮像時の広角端から望遠端へのズーミングの際に、前記第１レンズ群、前記第２レンズ群及び前記第３レンズ群を光軸に沿って移動させて変倍を行い、
前記ズーミングの際に、前記開口絞りが、前記第２レンズ群と一体的に光軸に沿って移動し、
以下の条件（１）及び（ａ）：
ＴG1／｛ｆT×ｔａｎ（ωT）｝＜０．９６  ・・・（１）
ｆT／ｆW＞４．５  ・・・（ａ）
（ここで、
ＴG1：第１レンズ群の光軸上での厚み、
ωT：望遠端における半画角（°）、
ｆT：望遠端における全系の焦点距離、
ｆW：広角端における全系の焦点距離
である）
を満足する
ことを特徴とするズームレンズ系である、撮像装置。
【請求項５】
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
物体側から像側へと順に、
負のパワーを有する第１レンズ群と、
正のパワーを有する第２レンズ群と、
正のパワーを有する第３レンズ群と、
前記第２レンズ群の物体側に配置した開口絞りとを備え、
撮像時の広角端から望遠端へのズーミングの際に、前記第１レンズ群、前記第２レンズ群及び前記第３レンズ群を光軸に沿って移動させて変倍を行い、
前記ズーミングの際に、前記開口絞りが、前記第２レンズ群と一体的に光軸に沿って移動し、
以下の条件（１）及び（ａ）：
ＴG1／｛ｆT×ｔａｎ（ωT）｝＜０．９６  ・・・（１）
ｆT／ｆW＞４．５  ・・・（ａ）
（ここで、
ＴG1：第１レンズ群の光軸上での厚み、
ωT：望遠端における半画角（°）、
ｆT：望遠端における全系の焦点距離、
ｆW：広角端における全系の焦点距離
である）
を満足する
ことを特徴とするズームレンズ系である、カメラ。
【発明の詳細な説明】
【技術分野】
【０００１】
本発明は、ズームレンズ系、撮像装置及びカメラに関する。特に本発明は、解像度が高いのは勿論のこと、比較的高いズーミング比を維持しながら、特に沈胴時の薄型化が可能なズームレンズ系、該ズームレンズ系を含む撮像装置、及び該撮像装置を備えた薄型でコンパクトなカメラに関する。
【背景技術】
【０００２】
デジタルスチルカメラやデジタルビデオカメラ等の、光電変換を行う撮像素子を持つカメラにおいては、高い解像度に対する要求は勿論のこと、近年は特に、比較的高いズーミング比と共に薄型化に対する要求が高く、例えば、物体側から像側へと順に、負のパワーを有する第１レンズ群と、正のパワーを有する第２レンズ群と、正のパワーを有する第３レンズ群とが配置された、負正正の３群構成を有するズームレンズ系が種々提案されている。以下、デジタルスチルカメラやデジタルビデオカメラ等の、光電変換を行う撮像素子を持つカメラを単にデジタルカメラという。
【０００３】
特許文献１は、前記負正正の３群構成を有し、広角端から望遠端までレンズの位置状態が変化する際に、第１レンズ群と第２レンズ群との間隔が減少し、第２レンズ群と第３レンズ群との間隔が増大するように各レンズ群が移動し、第１レンズ群は、物体側から像側へと順に、両面が非球面の負レンズ１枚と正レンズ１枚とで構成され、第３レンズ群は、両面が非球面の正レンズ１枚で構成されているズームレンズを開示している。
【０００４】
特許文献２は、前記負正正の３群構成を有し、各レンズ群を移動させてズーミングを行い、第１レンズ群は、物体側から像側へと順に、負レンズと正レンズとで構成され、該負レンズの材料の屈折率及び正レンズの材料のアッベ数が規定され、該負レンズのシェイプファクターが規定されたズームレンズを開示している。
【０００５】
特許文献３は、前記負正正の３群構成以上のレンズ群構成を有し、各レンズ群を移動させてズーミングを行い、少なくとも１つのレンズ群は光軸に略垂直方向へ移動可能な垂直方向移動レンズ群であり、該垂直方向移動レンズ群を所定位置だけ略垂直方向へ移動させることによって３つ以上のレンズ群による光軸位置を補正する補正機構を有するズームレンズを備えた撮像装置を開示している。
【先行技術文献】
【特許文献】
【０００６】
【特許文献１】特開２０１０−１９１２１４号公報
【特許文献２】特開２０１０−２３７４５４号公報
【特許文献３】特開２０１０−２３７５２７号公報
【発明の概要】
【発明が解決しようとする課題】
【０００７】
しかしながら、前記特許文献１〜３に開示のズームレンズはいずれも、解像度が高く、比較的高いズーミング比を有するものの、薄型化、特に沈胴時の薄型化を達成し得るものではなく、近年のデジタルカメラに対する要求を満足し得るものではない。
【０００８】
本発明の目的は、解像度が高いのは勿論のこと、比較的高いズーミング比を維持しながら、特に沈胴時の薄型化が可能なズームレンズ系、該ズームレンズ系を含む撮像装置、及び該撮像装置を備えた薄型でコンパクトなカメラを提供することである。
【課題を解決するための手段】
【０００９】
上記目的の１つは、以下のズームレンズ系により達成される。すなわち本発明は、
物体側から像側へと順に、
負のパワーを有する第１レンズ群と、
正のパワーを有する第２レンズ群と、
正のパワーを有する第３レンズ群と、
前記第２レンズ群の物体側に配置した開口絞りとを備え、
撮像時の広角端から望遠端へのズーミングの際に、前記第１レンズ群、前記第２レンズ群及び前記第３レンズ群を光軸に沿って移動させて変倍を行い、
前記ズーミングの際に、前記開口絞りが、前記第２レンズ群と一体的に光軸に沿って移動し、
以下の条件（１）及び（ａ）：
ＴG1／｛ｆT×ｔａｎ（ωT）｝＜０．９６  ・・・（１）
ｆT／ｆW＞４．５  ・・・（ａ）
（ここで、
ＴG1：第１レンズ群の光軸上での厚み、
ωT：望遠端における半画角（°）、
ｆT：望遠端における全系の焦点距離、
ｆW：広角端における全系の焦点距離
である）
を満足することを特徴とする、ズームレンズ系
に関する。
【００１０】
上記目的の１つは、以下の撮像装置により達成される。すなわち本発明は、
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、
物体側から像側へと順に、
負のパワーを有する第１レンズ群と、
正のパワーを有する第２レンズ群と、
正のパワーを有する第３レンズ群と、
前記第２レンズ群の物体側に配置した開口絞りとを備え、
撮像時の広角端から望遠端へのズーミングの際に、前記第１レンズ群、前記第２レンズ群及び前記第３レンズ群を光軸に沿って移動させて変倍を行い、
前記ズーミングの際に、前記開口絞りが、前記第２レンズ群と一体的に光軸に沿って移動し、
以下の条件（１）及び（ａ）：
ＴG1／｛ｆT×ｔａｎ（ωT）｝＜０．９６  ・・・（１）
ｆT／ｆW＞４．５  ・・・（ａ）
（ここで、
ＴG1：第１レンズ群の光軸上での厚み、
ωT：望遠端における半画角（°）、
ｆT：望遠端における全系の焦点距離、
ｆW：広角端における全系の焦点距離
である）
を満足する
ことを特徴とするズームレンズ系である、撮像装置
に関する。
【００１１】
上記目的の１つは、以下のカメラにより達成される。すなわち本発明は、
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
物体側から像側へと順に、
負のパワーを有する第１レンズ群と、
正のパワーを有する第２レンズ群と、
正のパワーを有する第３レンズ群と、
前記第２レンズ群の物体側に配置した開口絞りとを備え、
撮像時の広角端から望遠端へのズーミングの際に、前記第１レンズ群、前記第２レンズ群及び前記第３レンズ群を光軸に沿って移動させて変倍を行い、
前記ズーミングの際に、前記開口絞りが、前記第２レンズ群と一体的に光軸に沿って移動し、
以下の条件（１）及び（ａ）：
ＴG1／｛ｆT×ｔａｎ（ωT）｝＜０．９６  ・・・（１）
ｆT／ｆW＞４．５  ・・・（ａ）
（ここで、
ＴG1：第１レンズ群の光軸上での厚み、
ωT：望遠端における半画角（°）、
ｆT：望遠端における全系の焦点距離、
ｆW：広角端における全系の焦点距離
である）
を満足する
ことを特徴とするズームレンズ系である、カメラ
に関する。
【発明の効果】
【００１２】
本発明によれば、解像度が高いのは勿論のこと、比較的高いズーミング比を維持しながら、特に沈胴時の薄型化が可能なズームレンズ系、該ズームレンズ系を含む撮像装置、及び該撮像装置を備えた薄型でコンパクトなカメラを提供することができる。
【図面の簡単な説明】
【００１３】
【図１】実施の形態１（実施例１）に係るズームレンズ系の無限遠合焦状態を示すレンズ配置図
【図２】実施例１に係るズームレンズ系の無限遠合焦状態の縦収差図
【図３】実施の形態２（実施例２）に係るズームレンズ系の無限遠合焦状態を示すレンズ配置図
【図４】実施例２に係るズームレンズ系の無限遠合焦状態の縦収差図
【図５】実施の形態３（実施例３）に係るズームレンズ系の無限遠合焦状態を示すレンズ配置図
【図６】実施例３に係るズームレンズ系の無限遠合焦状態の縦収差図
【図７】実施の形態４（実施例４）に係るズームレンズ系の無限遠合焦状態を示すレンズ配置図
【図８】実施例４に係るズームレンズ系の無限遠合焦状態の縦収差図
【図９】実施の形態５に係るデジタルスチルカメラの概略構成図
【発明を実施するための形態】
【００１４】
（実施の形態１〜４）
図１、３、５及び７は、各々実施の形態１〜４に係るズームレンズ系のレンズ配置図である。
【００１５】
図１、３、５及び７は、いずれも無限遠合焦状態にあるズームレンズ系を表している。各図において、（ａ）図は広角端のレンズ構成、（ｂ）図は中間位置のレンズ構成、（ｃ）図は望遠端のレンズ構成をそれぞれ表している。なお、広角端とは最短焦点距離状態で、その焦点距離をｆWで表す。中間位置とは、中間焦点距離状態で、その焦点距離をｆM＝√（ｆW＊ｆT）で表す。望遠端とは、最長焦点距離状態で、その焦点距離をｆTで表す。また各図において、（ａ）図と（ｂ）図との間に設けられた折れ線の矢印は、上から順に、広角端、中間位置、望遠端の各状態におけるレンズ群の位置を結んで得られる直線である。したがって、広角端と中間位置との間、中間位置と望遠端との間は、単純に直線で接続されているだけであり、実際の各レンズ群の動きとは異なる。さらに各図において、レンズ群に付された矢印は、無限遠合焦状態から近接物体合焦状態へのフォーカシングを表す。すなわち、図１、３、５及び７では、後述する第３レンズ群Ｇ３が無限遠合焦状態から近接物体合焦状態へのフォーカシングの際に移動する方向を示している。
【００１６】
実施の形態１〜３に係るズームレンズ系は、物体側から像側へと順に、負のパワーを有する第１レンズ群Ｇ１と、正のパワーを有する第２レンズ群Ｇ２と、正のパワーを有する第３レンズ群Ｇ３とを備える。実施の形態４に係るズームレンズ系は、物体側から像側へと順に、負のパワーを有する第１レンズ群Ｇ１と、正のパワーを有する第２レンズ群Ｇ２と、正のパワーを有する第３レンズ群Ｇ３と、正のパワーを有する第４レンズ群Ｇ４とを備える。
【００１７】
実施の形態１〜３に係るズームレンズ系では、ズーミングに際して、各レンズ群の間隔、すなわち、第１レンズ群Ｇ１と第２レンズ群Ｇ２との間隔、及び第２レンズ群Ｇ２と第３レンズ群Ｇ３との間隔がいずれも変化するように、第１レンズ群Ｇ１、第２レンズ群Ｇ２及び第３レンズ群Ｇ３が光軸に沿った方向にそれぞれ移動する。実施の形態４に係るズームレンズ系では、ズーミングに際して、各レンズ群の間隔、すなわち、第１レンズ群Ｇ１と第２レンズ群Ｇ２との間隔、第２レンズ群Ｇ２と第３レンズ群Ｇ３との間隔、及び第３レンズ群Ｇ３と第４レンズ群Ｇ４との間隔がいずれも変化するように、第１レンズ群Ｇ１、第２レンズ群Ｇ２及び第３レンズ群Ｇ３が光軸に沿った方向にそれぞれ移動する。各実施の形態に係るズームレンズ系は、これら各レンズ群を所望のパワー配置にすることにより、高い光学性能を保持しつつ、レンズ系全体の小型化を可能にしている。
【００１８】
なお図１、３、５及び７において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表し、該像面Ｓの物体側、すなわち、図１、３及び５では像面Ｓと第３レンズ群Ｇ３の最像側レンズ面との間、図７では像面Ｓと第４レンズ群Ｇ４の最像側レンズ面との間には、光学的ローパスフィルタや撮像素子のフェースプレート等と等価な平行平板Ｐが設けられている。
【００１９】
図１に示すように、実施の形態１に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。これらのうち、第１レンズ素子Ｌ１は、その両面が非球面である。
【００２０】
実施の形態１に係るズームレンズ系において、第２レンズ群Ｇ２は、物体側から像側へと順に、物体側に凸面を向けた正メニスカス形状の第３レンズ素子Ｌ３と、物体側に凸面を向けた正メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第４レンズ素子Ｌ４と第５レンズ素子Ｌ５とは接合されており、後述する対応数値実施例における面データでは、これら第４レンズ素子Ｌ４と第５レンズ素子Ｌ５との間の接着剤層に面番号９が付与されている。また、第３レンズ素子Ｌ３は、その物体側面が非球面である。
【００２１】
実施の形態１に係るズームレンズ系において、第３レンズ群Ｇ３は、両凸形状の第７レンズ素子Ｌ７のみからなる。この第７レンズ素子Ｌ７は、その両面が非球面である。
【００２２】
なお、実施の形態１に係るズームレンズ系において、第２レンズ群Ｇ２の物体側には開口絞りＡが設けられている。該開口絞りＡは、撮像時の広角端から望遠端へのズーミングの際に、第２レンズ群Ｇ２と一体的に光軸上を物体側へ移動する。
【００２３】
実施の形態１に係るズームレンズ系において、像面Ｓの物体側、すなわち像面Ｓと第７レンズ素子Ｌ７との間には、平行平板Ｐが設けられている。
【００２４】
実施の形態１に係るズームレンズ系において、撮像時の広角端から望遠端へのズーミングの際に、第１レンズ群Ｇ１は、像側に凸の軌跡を描いて物体側へ移動し、第２レンズ群Ｇ２は、略単調に物体側へ移動し、第３レンズ群Ｇ３は、物体側に凸の軌跡を描いて像側へ移動する。すなわち、ズーミングに際して、第１レンズ群Ｇ１と第２レンズ群Ｇ２との間隔が変化し、第２レンズ群Ｇ２と第３レンズ群Ｇ３との間隔が増大するように、第１レンズ群Ｇ１、第２レンズ群Ｇ２及び第３レンズ群Ｇ３が光軸に沿ってそれぞれ移動する。
【００２５】
さらに、実施の形態１に係るズームレンズ系において、無限遠合焦状態から近接物体合焦状態へのフォーカシングの際に、第３レンズ群Ｇ３が光軸に沿って物体側へ移動する。
【００２６】
なお、実施の形態１に係るズームレンズ系では、第２レンズ群Ｇ２全体を光軸に直交する方向に移動させることによって、全系の振動による像点移動を補正することができる。すなわち、全系の振動による像点移動を補正する際に、第２レンズ群Ｇ２全体が光軸に直交する方向に移動することにより、ズームレンズ系全体の大型化を抑制してコンパクトに構成しながら、偏心コマ収差や偏心非点収差が小さい優れた結像特性を維持して、手ぶれ、振動等による像のぶれを光学的に補正することができる。
【００２７】
図３に示すように、実施の形態２に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。これら第１レンズ素子Ｌ１及び第２レンズ素子Ｌ２はいずれも、その両面が非球面である。
【００２８】
実施の形態２に係るズームレンズ系において、第２レンズ群Ｇ２は、物体側から像側へと順に、物体側に凸面を向けた正メニスカス形状の第３レンズ素子Ｌ３と、物体側に凸面を向けた正メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第４レンズ素子Ｌ４と第５レンズ素子Ｌ５とは接合されており、後述する対応数値実施例における面データでは、これら第４レンズ素子Ｌ４と第５レンズ素子Ｌ５との間の接着剤層に面番号９が付与されている。また、第３レンズ素子Ｌ３は、その物体側面が非球面である。
【００２９】
実施の形態２に係るズームレンズ系において、第３レンズ群Ｇ３は、物体側に凸面を向けた正メニスカス形状の第７レンズ素子Ｌ７のみからなる。この第７レンズ素子Ｌ７は、その両面が非球面である。
【００３０】
なお、実施の形態２に係るズームレンズ系において、第２レンズ群Ｇ２の物体側には開口絞りＡが設けられている。該開口絞りＡは、撮像時の広角端から望遠端へのズーミングの際に、第２レンズ群Ｇ２と一体的に光軸上を物体側へ移動する。
【００３１】
実施の形態２に係るズームレンズ系において、像面Ｓの物体側、すなわち像面Ｓと第７レンズ素子Ｌ７との間には、平行平板Ｐが設けられている。
【００３２】
実施の形態２に係るズームレンズ系において、撮像時の広角端から望遠端へのズーミングの際に、第１レンズ群Ｇ１は、像側に凸の軌跡を描いて物体側へ移動し、第２レンズ群Ｇ２は、略単調に物体側へ移動し、第３レンズ群Ｇ３は、物体側に凸の軌跡を描いて像側へ移動する。すなわち、ズーミングに際して、第１レンズ群Ｇ１と第２レンズ群Ｇ２との間隔が変化し、第２レンズ群Ｇ２と第３レンズ群Ｇ３との間隔が増大するように、第１レンズ群Ｇ１、第２レンズ群Ｇ２及び第３レンズ群Ｇ３が光軸に沿ってそれぞれ移動する。
【００３３】
さらに、実施の形態２に係るズームレンズ系において、無限遠合焦状態から近接物体合焦状態へのフォーカシングの際に、第３レンズ群Ｇ３が光軸に沿って物体側へ移動する。
【００３４】
なお、実施の形態２に係るズームレンズ系では、第２レンズ群Ｇ２全体を光軸に直交する方向に移動させることによって、全系の振動による像点移動を補正することができる。すなわち、全系の振動による像点移動を補正する際に、第２レンズ群Ｇ２全体が光軸に直交する方向に移動することにより、ズームレンズ系全体の大型化を抑制してコンパクトに構成しながら、偏心コマ収差や偏心非点収差が小さい優れた結像特性を維持して、手ぶれ、振動等による像のぶれを光学的に補正することができる。
【００３５】
図５に示すように、実施の形態３に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。これらのうち、第１レンズ素子Ｌ１は、その両面が非球面である。
【００３６】
実施の形態３に係るズームレンズ系において、第２レンズ群Ｇ２は、物体側から像側へと順に、物体側に凸面を向けた正メニスカス形状の第３レンズ素子Ｌ３と、物体側に凸面を向けた正メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第４レンズ素子Ｌ４と第５レンズ素子Ｌ５とは接合されており、後述する対応数値実施例における面データでは、これら第４レンズ素子Ｌ４と第５レンズ素子Ｌ５との間の接着剤層に面番号９が付与されている。また、第３レンズ素子Ｌ３は、その物体側面が非球面である。
【００３７】
実施の形態３に係るズームレンズ系において、第３レンズ群Ｇ３は、両凸形状の第７レンズ素子Ｌ７のみからなる。この第７レンズ素子Ｌ７は、その両面が非球面である。
【００３８】
なお、実施の形態３に係るズームレンズ系において、第２レンズ群Ｇ２の物体側には開口絞りＡが設けられている。該開口絞りＡは、撮像時の広角端から望遠端へのズーミングの際に、第２レンズ群Ｇ２と一体的に光軸上を物体側へ移動する。
【００３９】
実施の形態３に係るズームレンズ系において、像面Ｓの物体側、すなわち像面Ｓと第７レンズ素子Ｌ７との間には、平行平板Ｐが設けられている。
【００４０】
実施の形態３に係るズームレンズ系において、撮像時の広角端から望遠端へのズーミングの際に、第１レンズ群Ｇ１は、像側に凸の軌跡を描いて物体側へ移動し、第２レンズ群Ｇ２は、略単調に物体側へ移動し、第３レンズ群Ｇ３は、物体側に凸の軌跡を描いて像側へ移動する。すなわち、ズーミングに際して、第１レンズ群Ｇ１と第２レンズ群Ｇ２との間隔が変化し、第２レンズ群Ｇ２と第３レンズ群Ｇ３との間隔が増大するように、第１レンズ群Ｇ１、第２レンズ群Ｇ２及び第３レンズ群Ｇ３が光軸に沿ってそれぞれ移動する。
【００４１】
さらに、実施の形態３に係るズームレンズ系において、無限遠合焦状態から近接物体合焦状態へのフォーカシングの際に、第３レンズ群Ｇ３が光軸に沿って物体側へ移動する。
【００４２】
なお、実施の形態３に係るズームレンズ系では、第２レンズ群Ｇ２全体を光軸に直交する方向に移動させることによって、全系の振動による像点移動を補正することができる。すなわち、全系の振動による像点移動を補正する際に、第２レンズ群Ｇ２全体が光軸に直交する方向に移動することにより、ズームレンズ系全体の大型化を抑制してコンパクトに構成しながら、偏心コマ収差や偏心非点収差が小さい優れた結像特性を維持して、手ぶれ、振動等による像のぶれを光学的に補正することができる。
【００４３】
図７に示すように、実施の形態４に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。これらのうち、第１レンズ素子Ｌ１は、その両面が非球面である。
【００４４】
実施の形態４に係るズームレンズ系において、第２レンズ群Ｇ２は、物体側から像側へと順に、物体側に凸面を向けた正メニスカス形状の第３レンズ素子Ｌ３と、物体側に凸面を向けた正メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第４レンズ素子Ｌ４と第５レンズ素子Ｌ５とは接合されており、後述する対応数値実施例における面データでは、これら第４レンズ素子Ｌ４と第５レンズ素子Ｌ５との間の接着剤層に面番号９が付与されている。また、第３レンズ素子Ｌ３は、その物体側面が非球面である。
【００４５】
実施の形態４に係るズームレンズ系において、第３レンズ群Ｇ３は、両凸形状の第７レンズ素子Ｌ７のみからなる。
【００４６】
実施の形態４に係るズームレンズ系において、第４レンズ群Ｇ４は、両凸形状の第８レンズ素子Ｌ８のみからなる。この第８レンズ素子Ｌ８は、その両面が非球面である。
【００４７】
なお、実施の形態４に係るズームレンズ系において、第２レンズ群Ｇ２の物体側には開口絞りＡが設けられている。該開口絞りＡは、撮像時の広角端から望遠端へのズーミングの際に、第２レンズ群Ｇ２と一体的に光軸上を物体側へ移動する。
【００４８】
実施の形態４に係るズームレンズ系において、像面Ｓの物体側、すなわち像面Ｓと第８レンズ素子Ｌ８との間には、平行平板Ｐが設けられている。
【００４９】
実施の形態４に係るズームレンズ系において、撮像時の広角端から望遠端へのズーミングの際に、第１レンズ群Ｇ１は、像側に凸の軌跡を描いて物体側へ移動し、第２レンズ群Ｇ２は、略単調に物体側へ移動し、第３レンズ群Ｇ３は、物体側に凸の軌跡を描いて像側へ移動し、第４レンズ群Ｇ４は、像面Ｓに対して固定されている。すなわち、ズーミングに際して、第１レンズ群Ｇ１と第２レンズ群Ｇ２との間隔が変化し、第２レンズ群Ｇ２と第３レンズ群Ｇ３との間隔が増大し、第３レンズ群Ｇ３と第４レンズ群Ｇ４との間隔が変化するように、第１レンズ群Ｇ１、第２レンズ群Ｇ２及び第３レンズ群Ｇ３が光軸に沿ってそれぞれ移動する。
【００５０】
さらに、実施の形態４に係るズームレンズ系において、無限遠合焦状態から近接物体合焦状態へのフォーカシングの際に、第３レンズ群Ｇ３が光軸に沿って物体側へ移動する。
【００５１】
なお、実施の形態４に係るズームレンズ系では、第２レンズ群Ｇ２全体を光軸に直交する方向に移動させることによって、全系の振動による像点移動を補正することができる。すなわち、全系の振動による像点移動を補正する際に、第２レンズ群Ｇ２全体が光軸に直交する方向に移動することにより、ズームレンズ系全体の大型化を抑制してコンパクトに構成しながら、偏心コマ収差や偏心非点収差が小さい優れた結像特性を維持して、手ぶれ、振動等による像のぶれを光学的に補正することができる。
【００５２】
実施の形態１〜４に係るズームレンズ系では、第２レンズ群Ｇ２の物体側に開口絞りＡが配置されており、撮像時の広角端から望遠端へのズーミングの際に、該開口絞りＡが第２レンズ群Ｇ２と一体的に光軸に沿って移動するので、高い光学性能を維持しつつ、レンズ系全体の小型化が可能である。
【００５３】
実施の形態１〜４に係るズームレンズ系では、第１レンズ群Ｇ１が、物体側から像側へと順に、負のパワーを有する第１レンズ素子Ｌ１と、正のパワーを有する第２レンズ素子Ｌ２とで構成され、該第２レンズ素子Ｌ２が、物体側に凸面を向けたメニスカス形状を有するものであるので、例えば色収差が良好に補正されると共に、少ないレンズ枚数で第１レンズ群Ｇ１の厚みを小さくすることができ、その結果、レンズ系全体の小型化が可能である。
【００５４】
なお、実施の形態１〜３に係るズームレンズ系は３群構成であり、実施の形態４に係るズームレンズ系は４群構成であるが、３群以上である限りレンズ系を構成するレンズ群の数には特に限定がない。また、第３レンズ群よりも像側に位置するレンズ群のパワーにも特に限定がない。
【００５５】
以下、例えば実施の形態１〜４に係るズームレンズ系のごときズームレンズ系が満足することが好ましい条件を説明する。なお、各実施の形態に係るズームレンズ系に対して、複数の好ましい条件が規定されるが、これら複数の条件すべてを満足するズームレンズ系の構成が最も望ましい。しかしながら、個別の条件を満足することにより、それぞれ対応する効果を奏するズームレンズ系を得ることも可能である。
【００５６】
例えば実施の形態１〜４に係るズームレンズ系のように、物体側から像側へと順に、負のパワーを有する第１レンズ群と、正のパワーを有する第２レンズ群と、正のパワーを有する第３レンズ群と、第２レンズ群の物体側に配置した開口絞りとを備え、撮像時の広角端から望遠端へのズーミングの際に、第１レンズ群、第２レンズ群及び第３レンズ群を光軸に沿って移動させて変倍を行い、該ズーミングの際に、開口絞りが、第２レンズ群と一体的に光軸に沿って移動するズームレンズ系は、以下の条件（１）及び（ａ）を満足する。以下、このようなズームレンズ系のレンズ構成を、実施の形態の基本構成という。
ＴG1／｛ｆT×ｔａｎ（ωT）｝＜０．９６  ・・・（１）
ｆT／ｆW＞４．５  ・・・（ａ）
ここで、
ＴG1：第１レンズ群の光軸上での厚み、
ωT：望遠端における半画角（°）、
ｆT：望遠端における全系の焦点距離、
ｆW：広角端における全系の焦点距離
である。
【００５７】
前記条件（ａ）は、広角端における全系の焦点距離と望遠端における全系の焦点距離との比を規定するための条件である。基本構成を有するズームレンズ系は、該条件（ａ）を満足しているので、比較的高いズーミング比を有し、中乃至高倍率を確保することができる。
【００５８】
前記条件（１）は、第１レンズ群の光軸上での厚みを規定するための条件である。条件（１）を満足しないと、第１レンズ群の光軸上での厚みが大きくなることから、例えばレンズ鏡筒が伸縮するタイプの沈胴式の撮像装置にズームレンズ系を用いた場合、沈胴長が長くなり、レンズ系全体のコンパクト化、特に沈胴時の薄型化に不利になってしまう。
【００５９】
例えば実施の形態１〜４に係るズームレンズ系のように、基本構成を有し、第１レンズ群が、物体側から像側へと順に、負のパワーを有する第１レンズ素子と、正のパワーを有する第２レンズ素子とで構成され、該第２レンズ素子が、物体側に凸面を向けたメニスカス形状を有するズームレンズ系では、該第１レンズ素子が、以下の条件（２）を満足し、該第２レンズ素子が、以下の条件（３）を満足することが好ましい。
ｎｄ1＞１．８６  ・・・（２）
ｎｄ2＞２．００  ・・・（３）
ここで、
ｎｄ1：第１レンズ素子の波長５８７．５６ｎｍに対する屈折率、
ｎｄ2：第２レンズ素子の波長５８７．５６ｎｍに対する屈折率
である。
【００６０】
前記条件（２）は、第１レンズ素子の屈折率を規定するための条件である。条件（２)を満足しないと、第１レンズ素子の薄型化が困難になることから、例えばレンズ鏡筒が伸縮するタイプの沈胴式の撮像装置にズームレンズ系を用いた場合、沈胴長が長くなり、レンズ系全体のコンパクト化、特に沈胴時の薄型化に不利になる恐れがある。
【００６１】
前記条件（３）は、第２レンズ素子の屈折率を規定するための条件である。条件（３)を満足しないと、第２レンズ素子の薄型化が困難になることから、例えばレンズ鏡筒が伸縮するタイプの沈胴式の撮像装置にズームレンズ系を用いた場合、沈胴長が長くなり、レンズ系全体のコンパクト化、特に沈胴時の薄型化に不利になる恐れがある。
【００６２】
実施の形態１〜４に係るズームレンズ系を構成している各レンズ群は、入射光線を屈折により偏向させる屈折型レンズ素子、すなわち、異なる屈折率を有する媒質同士の界面で偏向が行われるタイプのレンズ素子のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、好ましい。
【００６３】
さらに各実施の形態では、像面Ｓの物体側、すなわち、実施の形態１〜３では像面Ｓと第３レンズ群Ｇ３の最像側レンズ面との間、実施の形態４では像面Ｓと第４レンズ群Ｇ４の最像側レンズ面との間には、光学的ローパスフィルタや撮像素子のフェースプレート等と等価な平行平板Ｐを配置する構成を示したが、このローパスフィルタとしては、所定の結晶軸方向が調整された水晶等を材料とする複屈折型ローパスフィルタや、必要とされる光学的な遮断周波数の特性を回折効果により達成する位相型ローパスフィルタ等が適用可能である。
【００６４】
（実施の形態５）
図９は、実施の形態５に係るデジタルスチルカメラの概略構成図である。図９において、デジタルスチルカメラは、ズームレンズ系１とＣＣＤである撮像素子２とを含む撮像装置と、液晶モニタ３と、筐体４とから構成される。ズームレンズ系１として、実施の形態１に係るズームレンズ系が用いられている。図９において、ズームレンズ系１は、第１レンズ群Ｇ１と、開口絞りＡと、第２レンズ群Ｇ２と、第３レンズ群Ｇ３とから構成されている。筐体４は、前側にズームレンズ系１が配置され、ズームレンズ系１の後側には、撮像素子２が配置されている。筐体４の後側に液晶モニタ３が配置され、ズームレンズ系１による被写体の光学的な像が像面Ｓに形成される。
【００６５】
鏡筒は、主鏡筒５と、移動鏡筒６と、円筒カム７とで構成されている。円筒カム７を回転させると、第１レンズ群Ｇ１、開口絞りＡと第２レンズ群Ｇ２及び第３レンズ群Ｇ３が撮像素子２を基準にした所定の位置に移動し、広角端から望遠端までのズーミングを行うことができる。第３レンズ群Ｇ３はフォーカス調整用モータにより光軸方向に移動可能である。
【００６６】
こうして、デジタルスチルカメラに実施の形態１に係るズームレンズ系を用いることにより、解像度及び像面湾曲を補正する能力が高く、非使用時のレンズ全長が短い小型のデジタルスチルカメラを提供することができる。なお、図９に示したデジタルスチルカメラには、実施の形態１に係るズームレンズ系の替わりに実施の形態２〜４に係るズームレンズ系のいずれかを用いてもよい。また、図９に示したデジタルスチルカメラの光学系は、動画像を対象とするデジタルビデオカメラに用いることもできる。この場合、静止画像だけでなく、解像度の高い動画像を撮影することができる。
【００６７】
なお、本実施の形態５に係るデジタルスチルカメラでは、ズームレンズ系１として実施の形態１〜４に係るズームレンズ系を示したが、これらのズームレンズ系は、全てのズーミング域を使用する必要はない。すなわち、所望のズーミング域に応じて、光学性能が確保されている範囲を切り出し、実施の形態１〜４で説明したズームレンズ系よりも低倍率のズームレンズ系として使用してもよい。
【００６８】
さらに、実施の形態５では、いわゆる沈胴構成の鏡筒にズームレンズ系を適用した例を示したが、これに限られない。例えば、第１レンズ群Ｇ１内等の任意の位置に、内部反射面を持つプリズムや、表面反射ミラーを配置し、いわゆる屈曲構成の鏡筒にズームレンズ系を適用してもよい。さらに、実施の形態５において、第２レンズ群Ｇ２全体、第２レンズ群Ｇ２の一部等のズームレンズ系を構成している一部のレンズ群を、沈胴時に光軸上から退避させる、いわゆるスライディング鏡筒にズームレンズ系を適用してもよい。
【００６９】
また、以上説明した実施の形態１〜４に係るズームレンズ系と、ＣＣＤやＣＭＯＳ等の撮像素子とから構成される撮像装置を、携帯電話機器、Ｐｅｒｓｏｎａｌ  Ｄｉｇｉｔａｌ  Ａｓｓｉｓｔａｎｃｅ、監視システムにおける監視カメラ、Ｗｅｂカメラ、車載カメラ等に適用することもできる。
【００７０】
以下、実施の形態１〜４に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄは波長５８７．５６ｎｍに対する屈折率、ｖｄは波長５８７．５６ｎｍに対するアッベ数である。また、各数値実施例において、＊印を付した面は非球面であり、非球面形状は次式で定義している。
【数１】
2012155030.tif 000003
ここで、κは円錐定数、Ａ４、Ａ６、Ａ８、Ａ１０、Ａ１２、Ａ１４及びＡ１６は、それぞれ４次、６次、８次、１０次、１２次、１４次及び１６次の非球面係数である。
【００７１】
図２、４、６及び８は、各々実施の形態１〜４に係るズームレンズ系の縦収差図である。
【００７２】
各縦収差図において、（ａ）図は広角端、（ｂ）図は中間位置、（ｃ）図は望遠端における各収差を表す。各縦収差図は、左側から順に、球面収差、非点収差、歪曲収差を示す。なお各図中において、球面収差はＳＡ（ｍｍ）、非点収差はＡＳＴ（ｍｍ）、歪曲収差はＤＩＳ（％）で表す。球面収差図において、縦軸はＦナンバーを表し、実線は波長５８７．５６ｎｍのｄ線、短破線は波長４８６．１３ｎｍのＦ線、長破線は波長６５６．２８ｎｍのＣ線の特性である。非点収差図において、縦軸は像高を表し、実線はサジタル平面、破線はメリディオナル平面の特性である。歪曲収差図において、縦軸は像高を表す。なお各図中において、ＦナンバーはＦ、像高はＨ、サジタル平面はｓ、メリディオナル平面はｍで表す。
【００７３】
（数値実施例１）
数値実施例１のズームレンズ系は、図１に示した実施の形態１に対応する。数値実施例１のズームレンズ系の面データを表１に、非球面データを表２に、各種データを表３に示す。
【００７４】
表  １（面データ）
面番号         r           d           nd         vd
物面             ∞
1*        50.89950     0.30000     1.87872    37.1 
2*         4.88630     1.72410 
3          8.99670     1.48290     2.00272    19.3 
4         18.81360        可変
5(絞り)           ∞    -0.30000
6*         5.31480     1.40170     1.80470    41.0 
7        110.05840     0.23740 
8          5.90880     1.07910     1.61800    63.4 
9         76.75970     0.01000     1.56732    42.8 
10         76.75970     0.30000     1.84666    23.8 
11          3.52810     0.70540 
12         32.77880     0.74240     1.83400    37.3 
13        -32.77880        可変
14*        15.81650     1.24850     1.54310    56.0 
15*       -52.78690        可変
16               ∞     0.58000     1.51680    64.2
17               ∞        (BF)
像面             ∞
【００７５】
表  ２（非球面データ）
第1面
K= 0.00000E+00, A4=-3.69989E-04, A6=-3.27293E-06, A8= 1.28501E-06
A10=-5.26322E-08, A12= 7.49363E-10, A14= 3.29154E-13, A16=-6.67328E-14 
第2面
K=-7.15231E-01, A4=-3.37664E-04, A6=-6.76260E-06, A8= 1.24791E-06
A10= 3.05629E-08, A12=-5.03765E-09, A14= 1.38803E-10, A16=-1.10986E-12 
第6面
K= 0.00000E+00, A4=-4.89036E-04, A6=-2.42660E-05, A8= 1.90524E-06
A10=-2.47675E-08, A12=-2.91033E-08, A14= 8.81638E-10, A16= 0.00000E+00 
第14面
K= 0.00000E+00, A4= 8.27179E-04, A6=-1.59953E-04, A8= 1.56554E-05
A10= 3.74857E-08, A12=-9.95265E-08, A14= 5.56893E-09, A16=-9.53108E-11 
第15面
K= 0.00000E+00, A4= 1.21478E-03, A6=-1.60070E-04, A8= 2.27701E-06
A10= 2.49129E-06, A12=-2.96022E-07, A14= 1.30020E-08, A16=-2.03826E-10
【００７６】
表  ３（各種データ）
ズーム比     4.61010
広角      中間      望遠
焦点距離       4.4386    9.4951   20.4624
Ｆナンバー     2.60934   3.56140   6.17513
画角        42.9817   22.7653   10.6848
像高         3.5000    3.9000    3.9000
レンズ全長     31.9417   26.0319   33.7859
ＢＦ        0.40644   0.40806   0.34335
d4          15.1164    4.3036    0.5500 
d13          3.6983    6.7583   20.1870 
d15          3.2091    5.0504    3.1940 
入射瞳位置      6.4132    3.9559    2.2813
射出瞳位置    -13.1793  -22.3933 1476.2137
前側主点位置    9.4016    9.4970   23.0274
後側主点位置   27.5031   16.5368   13.3235
単レンズデータ
レンズ     始面     焦点距離
1         1       -6.1700
2         3       15.9859
3         6        6.8987
4         8       10.2987
5        10       -4.3760
6        12       19.7533
7        14       22.5529
ズームレンズ群データ
群   始面    焦点距離  レンズ構成長    前側主点位置  後側主点位置
1      1   -11.28569     3.50700        -0.58261       0.21921
2      5     9.21397     4.17600        -1.85211       0.10686
3     14    22.55287     1.24850         0.18774       0.62194
ズームレンズ群倍率
群   始面    広角       中間       望遠
1      1    0.00000    0.00000    0.00000
2      5   -0.49474   -1.17961   -2.27090
3     14    0.79495    0.71323    0.79842
【００７７】
（数値実施例２）
数値実施例２のズームレンズ系は、図３に示した実施の形態２に対応する。数値実施例２のズームレンズ系の面データを表４に、非球面データを表５に、各種データを表６に示す。
【００７８】
表  ４（面データ）
面番号         r           d           nd         vd
物面             ∞
1*        30.92610     0.30000     1.87872    37.1 
2*         4.62110     1.61920 
3*         8.35550     1.38020     2.00178    19.3 
4*        16.07130        可変
5(絞り)           ∞    -0.30000
6*         5.36220     1.36480     1.80470    41.0 
7         88.21580     0.33390 
8          5.92020     1.05070     1.61800    63.4 
9         67.46450     0.01000     1.56732    42.8 
10         67.46450     0.30000     1.84666    23.8 
11          3.58180     0.69130 
12         30.55690     0.75260     1.83400    37.3 
13        -30.55690        可変
14*        11.85130     1.40830     1.54310    56.0 
15*      1384.31760        可変
16               ∞     0.58000     1.51680    64.2
17               ∞        (BF)
像面             ∞
【００７９】
表  ５（非球面データ）
第1面
K= 0.00000E+00, A4=-4.97553E-04, A6=-5.66983E-06, A8= 1.31755E-06
A10=-5.23816E-08, A12= 7.98316E-10, A14=-1.43101E-12, A16=-4.93545E-14 
第2面
K=-7.92260E-01, A4=-6.00469E-04, A6= 3.42855E-06, A8= 1.19916E-06
A10= 3.48854E-08, A12=-5.38683E-09, A14= 1.32344E-10, A16=-8.97971E-13 
第3面
K= 0.00000E+00, A4=-7.46816E-04, A6= 1.28019E-05, A8= 5.35265E-07
A10= 3.89411E-09, A12= 0.00000E+00, A14= 0.00000E+00, A16= 0.00000E+00 
第4面
K= 0.00000E+00, A4=-7.22246E-04, A6= 1.70638E-05, A8=-2.78826E-08
A10= 2.39005E-08, A12= 0.00000E+00, A14= 0.00000E+00, A16= 0.00000E+00 
第6面
K= 0.00000E+00, A4=-5.02386E-04, A6=-1.79627E-05, A8= 1.10537E-06
A10= 5.80764E-08, A12=-2.91033E-08, A14= 8.81638E-10, A16= 0.00000E+00 
第14面
K= 0.00000E+00, A4= 5.64477E-04, A6=-1.41124E-04, A8= 1.53619E-05
A10= 9.21881E-08, A12=-1.01024E-07, A14= 5.38507E-09, A16=-8.87565E-11 
第15面
K= 0.00000E+00, A4= 1.14921E-03, A6=-1.97609E-04, A8= 7.78198E-06
A10= 2.36187E-06, A12=-3.04388E-07, A14= 1.33136E-08, A16=-2.04040E-10
【００８０】
表  ６（各種データ）
ズーム比     4.61037
広角      中間      望遠
焦点距離       4.4387    9.5315   20.4639
Ｆナンバー     2.60543   3.58342   6.16097
画角        42.9869   22.7774   10.7269
像高         3.5000    3.9000    3.9000
レンズ全長     31.4037   25.9025   33.8104
ＢＦ        0.40564   0.41112   0.37787
d4          14.8061    4.3023    0.5500 
d13          3.7041    7.0639   20.1975 
d15          2.9969    4.6342    3.1940 
入射瞳位置      6.4316    3.9595    2.2220
射出瞳位置    -13.1000  -23.1129  640.1496
前側主点位置    9.4115    9.6290   23.3405
後側主点位置   26.9651   16.3710   13.3464
単レンズデータ
レンズ     始面     焦点距離
1         1       -6.2159
2         3       15.9453
3         6        7.0431
4         8       10.4331
5        10       -4.4773
6        12       18.4226
7        14       22.0021
ズームレンズ群データ
群   始面    焦点距離  レンズ構成長    前側主点位置  後側主点位置
1      1   -11.23269     3.29940        -0.44928       0.34459
2      5     9.12582     4.20330        -1.71226       0.17163
3     14    22.00206     1.40830        -0.00788       0.48811
ズームレンズ群倍率
群   始面    広角       中間       望遠
1      1    0.00000    0.00000    0.00000
2      5   -0.50265   -1.19265   -2.34030
3     14    0.78615    0.71149    0.77845
【００８１】
（数値実施例３）
数値実施例３のズームレンズ系は、図５に示した実施の形態３に対応する。数値実施例３のズームレンズ系の面データを表７に、非球面データを表８に、各種データを表９に示す。
【００８２】
表  ７（面データ）
面番号         r           d           nd         vd
物面             ∞
1*        45.84970     0.30000     1.87872    37.1 
2*         4.79780     1.63340 
3          8.64010     1.55350     2.00272    19.3 
4         17.78050        可変
5(絞り)           ∞    -0.30000
6*         5.28440     1.37720     1.80470    41.0 
7         62.03230     0.16830 
8          5.54920     1.10490     1.61800    63.4 
9         52.62890     0.01000     1.56732    42.8 
10         52.62890     0.30000     1.84666    23.8 
11          3.45590     0.71410 
12         31.09320     0.75080     1.83400    37.3 
13        -31.09320        可変
14*        15.28290     1.28890     1.54310    56.0 
15*       -52.67640        可変
16               ∞     0.58000     1.51680    64.2
17               ∞        (BF)
像面             ∞
【００８３】
表  ８（非球面データ）
第1面
K= 0.00000E+00, A4=-3.74004E-04, A6=-3.75687E-06, A8= 1.28948E-06
A10=-5.24527E-08, A12= 7.64920E-10, A14=-5.26159E-13, A16=-5.66930E-14 
第2面
K=-7.65618E-01, A4=-2.29537E-04, A6=-1.00027E-05, A8= 1.33480E-06
A10= 3.38102E-08, A12=-5.12789E-09, A14= 1.35500E-10, A16=-1.03518E-12 
第6面
K= 0.00000E+00, A4=-4.55891E-04, A6=-2.10355E-05, A8= 1.24234E-06
A10= 2.12349E-08, A12=-2.91033E-08, A14= 8.81639E-10, A16= 0.00000E+00 
第14面
K= 0.00000E+00, A4= 4.48271E-04, A6=-1.31493E-04, A8= 1.59761E-05
A10=-7.02762E-08, A12=-1.01998E-07, A14= 5.91801E-09, A16=-1.00793E-10 
第15面
K= 0.00000E+00, A4= 7.64119E-04, A6=-1.28818E-04, A8= 2.34130E-06
A10= 2.40557E-06, A12=-2.97755E-07, A14= 1.31890E-08, A16=-2.04448E-10
【００８４】
表  ９（各種データ）
ズーム比     4.61015
広角      中間      望遠
焦点距離       4.4387    9.4976   20.4628
Ｆナンバー     2.59388   3.50849   6.16161
画角        42.9815   22.8671   10.7149
像高         3.5000    3.9000    3.9000
レンズ全長     31.5406   25.5162   33.4630
ＢＦ        0.40763   0.40195   0.32386
d4          14.8149    4.0080    0.5500 
d13          3.6934    6.3403   20.2140 
d15          3.1436    5.2849    2.8940 
入射瞳位置      6.4139    3.8598    2.2621
射出瞳位置    -13.1753  -21.6539  528.5537
前側主点位置    9.4020    9.2676   23.5176
後側主点位置   27.1020   16.0187   13.0001
単レンズデータ
レンズ     始面     焦点距離
1         1       -6.1190
2         3       15.4472
3         6        7.1016
4         8        9.9485
5        10       -4.3809
6        12       18.7439
7        14       21.9585
ズームレンズ群データ
群   始面    焦点距離  レンズ構成長    前側主点位置  後側主点位置
1      1   -11.26697     3.48690        -0.50589       0.36742
2      5     9.11890     4.12530        -1.76888       0.14398
3     14    21.95846     1.28890         0.18910       0.63712
ズームレンズ群倍率
群   始面    広角       中間       望遠
1      1    0.00000    0.00000    0.00000
2      5   -0.49793   -1.21477   -2.25232
3     14    0.79118    0.69392    0.80636
【００８５】
（数値実施例４）
数値実施例４のズームレンズ系は、図７に示した実施の形態４に対応する。数値実施例４のズームレンズ系の面データを表１０に、非球面データを表１１に、各種データを表１２に示す。
【００８６】
表  １０（面データ）
面番号         r           d           nd         vd
物面             ∞
1*        74.33190     0.30000     1.87872    37.1 
2*         5.04950     1.79500 
3          9.17950     1.44540     2.00272    19.3 
4         18.94040        可変
5(絞り)           ∞    -0.30000
6*         5.38210     1.40280     1.80470    41.0 
7         93.90770     0.26260 
8          5.75550     1.08650     1.61800    63.4 
9         49.09300     0.01000     1.56732    42.8 
10         49.09300     0.30000     1.84666    23.8 
11          3.50610     0.72200 
12         31.73200     0.75090     1.83400    37.3 
13        -31.73200        可変
14         44.64350     0.89650     1.54310    56.0 
15        -74.51700        可変
16*        20.62200     1.30000     1.54310    56.0 
17*       -75.89280     0.83720 
18               ∞     0.58000     1.51680    64.2
19               ∞        (BF)
像面             ∞
【００８７】
表  １１（非球面データ）
第1面
K= 0.00000E+00, A4=-2.50845E-04, A6=-9.25576E-06, A8= 1.36539E-06
A10=-5.24422E-08, A12= 7.90262E-10, A14=-1.49426E-12, A16=-4.78920E-14 
第2面
K=-7.58784E-01, A4=-1.37142E-04, A6=-1.04729E-05, A8= 8.29819E-07
A10= 4.79565E-08, A12=-5.04545E-09, A14= 1.34136E-10, A16=-1.05692E-12 
第6面
K= 0.00000E+00, A4=-4.23998E-04, A6=-4.37009E-05, A8= 6.27048E-06
A10=-3.40588E-07, A12=-2.91018E-08, A14= 8.81794E-10, A16= 0.00000E+00 
第16面
K= 0.00000E+00, A4= 1.45339E-03, A6=-2.32753E-04, A8= 1.51838E-05
A10=-4.03231E-07, A12= 0.00000E+00, A14= 0.00000E+00, A16= 0.00000E+00 
第17面
K= 0.00000E+00, A4= 3.31247E-03, A6=-3.83288E-04, A8= 2.00535E-05
A10=-3.61696E-07, A12=-5.78230E-09, A14= 0.00000E+00, A16= 0.00000E+00
【００８８】
表  １２（各種データ）
ズーム比     4.61030
広角      中間      望遠
焦点距離       4.4387    9.4648   20.4637
Ｆナンバー     2.64992   3.67026   6.16693
画角        42.9984   22.5329   10.5943
像高         3.5000    3.9000    3.9000
レンズ全長     33.0451   27.2399   34.0529
ＢＦ        0.40979   0.44277   0.38105
d4          15.5613    4.9631    0.5500 
d13          3.6851    6.1175   18.8787 
d15          2.0000    4.3276    2.8542 
入射瞳位置      6.3946    4.1586    2.2967
射出瞳位置    -16.8153  -34.6544  111.2350
前側主点位置    9.6895   11.0709   26.5380
後側主点位置   28.6064   17.7751   13.5892
単レンズデータ
レンズ     始面     焦点距離
1         1       -6.1777
2         3       16.5377
3         6        7.0452
4         8       10.4499
5        10       -4.4731
6        12       19.1269
7        14       51.5410
8        16       30.0000
ズームレンズ群データ
群   始面    焦点距離  レンズ構成長    前側主点位置  後側主点位置
1      1   -11.09467     3.54040        -0.60081       0.16870
2      5     9.16035     4.23480        -1.78596       0.15447
3     14    51.54102     0.89650         0.21824       0.53222
4     16    30.00001     2.71720         0.18086       0.83201
ズームレンズ群倍率
群   始面    広角       中間       望遠
1      1    0.00000    0.00000    0.00000
2      5   -0.48007   -1.07983   -2.25067
3     14    0.90240    0.85649    0.88648
4     16    0.92350    0.92240    0.92446
【００８９】
以下の表１３に、各数値実施例のズームレンズ系における各条件の対応値を示す。
【００９０】
表  １３（条件の対応値）
【表１】
2012155030.tif 000004
【産業上の利用可能性】
【００９１】
本発明に係るズームレンズ系は、デジタルカメラ、携帯電話機器、Ｐｅｒｓｏｎａｌ  Ｄｉｇｉｔａｌ  Ａｓｓｉｓｔａｎｃｅ、監視システムにおける監視カメラ、Ｗｅｂカメラ、車載カメラ等のデジタル入力装置に適用可能であり、特にデジタルカメラ等の高画質が要求される撮影光学系に好適である。
【符号の説明】
【００９２】
Ｇ１    第１レンズ群
Ｇ２    第２レンズ群
Ｇ３    第３レンズ群
Ｇ４    第４レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ａ      開口絞り
Ｐ      平行平板
Ｓ      像面
１      ズームレンズ系
２      撮像素子
３      液晶モニタ
４      筐体
５      主鏡筒
６      移動鏡筒
７      円筒カム
【図１】
2012155030.tif 000005
【図２】
2012155030.tif 000006
【図３】
2012155030.tif 000007
【図４】
2012155030.tif 000008
【図５】
2012155030.tif 000009
【図６】
2012155030.tif 000010
【図７】
2012155030.tif 000011
【図８】
2012155030.tif 000012
【図９】
2012155030.tif 000013